(57)【要約】【課題】  パソコン等の機器操作をしながらでも容易に使用することができ、商品の取扱い方法を効率よく習得することができるマニュアルを提供する。【解決手段】  本考案は、横方向に形成された綴じ合わせ部５を支点として手前側から奥側に向かって各説明シート３を捲れるように構成されたマニュアル１であって、綴じ合わせ部５より奥側において表表紙２を折曲することによりシート支持部２０が形成されており、シート支持部２０は、各説明シート３を前傾姿勢で保持可能なように構成されていることを特徴とする。【選択図】  図１
0003111346.tif 000002
【実用新案登録請求の範囲】
【請求項１】
横方向に形成された綴じ合わせ部を支点として手前側から奥側に向かって各説明シートを捲れるように構成したマニュアルであって、
前記綴じ合わせ部より奥側において表表紙を折曲することによりシート支持部が形成されており、該シート支持部は、前記各説明シートを前傾姿勢で保持可能なように構成されていることを特徴とするマニュアル。
【請求項２】
前記各説明シートの表面手前側端部には、前記各説明シートの索引が記載されており、前記各説明シートは、前記索引を一覧可能なようにページ数が増える程、手前側に長くなるように形成されている請求項１に記載のマニュアル。
【請求項３】
前記各説明シートは、説明シート本体部と、該説明シート本体部から表面奥側に折り返して形成された折り返しシート部とから構成されており、該折り返しシート部の表面側には前記商品の基本的機能に関する説明が記載され、前記説明シート本体部の表面側及び前記折り返しシート部の裏面側には前記商品の付加的機能に関する説明が記載されるように構成されている請求項１に記載のマニュアル。
【考案の詳細な説明】
【技術分野】
【０００１】
本考案は、ソフトウェアやパソコン等の商品の取扱い方法を説明したマニュアルに関するものである。
【背景技術】
【０００２】
通常、ソフトウェアやパソコン等の商品には、商品の取扱い方法を説明したマニュアルが同封されており、従来のこの種のマニュアルは、記載する情報量に応じて、１枚又は数枚の説明シートを所定サイズに折り畳んだり、或いは、多数ページの説明シートを綴じ金具等で綴じ合わせたりすることにより構成されている。そして、前記商品の購入者は、このマニュアルを広げたり、或いは、捲ったりしながら、前記説明シートの記載内容を読み、購入した商品の取扱い方法を習得するようになっている。
【考案の開示】
【考案が解決しようとする課題】
【０００３】
しかしながら、上記した説明シートを折り畳んだタイプの従来のマニュアルでは、使用時に、広げたり、折り畳んだりする必要があるため、パソコン等の機器操作をしながら使用するのが難しいと共に、マニュアルが破損し易く、耐久性に乏しいといった問題があった。また、このタイプのマニュアルでは、説明シートを広げるための広いスペースが必要となるといった問題もあった。
【０００４】
また、上記したように説明シートを綴じ金具等で綴じ合わせるタイプの従来のマニュアルでは、説明シートの枚数や情報量が多く、使用者が必要な情報を見つけ出すのに手間が掛かるため、パソコン等の機器操作をしながら使用するのが難しく、商品の取扱い方法を効率よく習得することができないといった問題があった。
【０００５】
本考案は、上記した課題を解決すべくなされたものであり、パソコン等の機器操作をしながらでも容易に使用することができ、商品の取扱い方法を効率よく習得することができるマニュアルを提供しようとするものである。
【課題を解決するための手段】
【０００６】
本考案は、横方向に形成された綴じ合わせ部を支点として手前側から奥側に向かって各説明シートを捲れるように構成したマニュアルであって、前記綴じ合わせ部より奥側において表表紙を折曲することによりシート支持部が形成されており、該シート支持部は、前記各説明シートを前傾姿勢で保持可能なように構成されていることを特徴とする。
【０００７】
そして、好ましくは、前記各説明シートの表面手前側端部には、前記各説明シートの索引が記載されており、前記各説明シートは、前記索引を一覧可能なようにページ数が増える程、手前側に長くなるように形成されているのがよい。
【０００８】
また、前記各説明シートは、説明シート本体部と、該説明シート本体部から表面奥側に折り返して形成された折り返しシート部とから構成されており、該折り返しシート部の表面側には前記商品の基本的機能に関する説明が記載され、前記説明シート本体部の表面側及び前記折り返しシート部の裏面側には前記商品の付加的機能に関する説明が記載されるように構成されていてもよい。
【考案の効果】
【０００９】
本考案によれば、使用者から遠い奥側の説明ページはシート支持部により前傾姿勢に保持されるため、商品の操作をしながらでも、容易に使用することができる。
【００１０】
また、索引が一覧できるようになっているため、使用者は知りたい情報を効率よく習得することができる。
【００１１】
さらに、使用者は、商品の基本的な取扱い方法のみを習得したい場合には、折り返しシート部を展開させずに、折り返しシート部の表面側の記載だけを読み、また、商品のさらに詳細な取扱い方法を習得したい場合には、折り返しシート部を展開させて説明シート本体部の表面側及び折り返しシート部の裏面側の記載を読むといった使い方ができるため、状況に応じて効率的な使用をすることができる。さらにまた、説明シート本体部に折り返しシート部が折り込まれるようになっているため、マニュアルの設置スペースを最小限に抑えることができる等、種々の優れた効果を得ることができる。
【考案を実施するための最良の形態】
【００１２】
以下、図１〜図４を参照しつつ、本考案の実施の形態について説明する。なお、以下の説明では、デジタルカメラで撮影した写真を編集するソフトウェアのマニュアルに本考案を適用した場合について例示して説明する。ここで、図１は本考案の実施の形態に係るマニュアルを組み立てた状態を示す斜視図、図２はマニュアルのシート支持部を展開した状態を示す斜視図、図３はマニュアルのシート支持部により説明シートを保持した状態を示す斜視図、図４はマニュアルの説明シートの折り返しシート部を展開した状態を示す斜視図である。
【００１３】
このマニュアル１は、表表紙２と、所定枚数（図１では６枚）の説明シート３と、表表紙２と一体に形成された裏表紙４とを、横方向に形成された綴じ合わせ部５において綴じ金具等により綴じ合わせることにより構成され、各説明シート３は、綴じ合わせ部５を支点として手前側から奥側、或いは、奥側から手前側に向かって捲ることができるようになっている。
【００１４】
図２に良く示されているように、表表紙２は、厚紙製で、表表紙本体部６と、第１折り目部７において手前側及び奥側に折り返し可能なように形成された表表紙折り返し部８とから構成されており、表表紙本体部６の略中央部には、略への字状に切り込まれた切込係止部９が形成され、表表紙折り返し部８は、マニュアル１の未使用時には第１折り目７において手前側に折り込まれて表表紙本体部６に重合されるようになっている。
【００１５】
また、表表紙折り返し部８は、第２折り目部１０においてさらに奥側に折り返し可能なように形成されており、第１折り目部７と第２折り目部１０の間に形成された第１折り返し部１１と、第２折り目部１０より先端側に形成された第２折り返し部１２とから構成されている。そして、第２折り返し部１２の先端には、表表紙本体部６の切込係止部９の左右両端部１３，１４に対応する位置にそれぞれ切欠部１５，１６が形成されていると共に各切欠部１５，１６の頂点から手前側に切込部１７，１８が形成されている。これにより、第２折り返し部１２の先端には、係止片部１９が形成され、第１折り目部７及び第２折り目部１０において表表紙折り返し部８をそれぞれ奥側に折り返した後、係止片部１９を切込係止部９に挿入し、係止させることにより、図１等に示すように、側面形状が略直角三角形のシート支持部２０が前傾姿勢で形成されるようになっている。
【００１６】
各説明シート３の表面手前側端部２１には、各説明シート３の索引が記載されており、各説明シート３は、前記索引を一覧可能なようにページ数が増える程、手前側に長くなるように形成されている。また、図３及び図４に良く示されているように、説明シート３は、通常の長さの約２倍の長さを有していてもよく、この場合の説明シート３は、説明シート本体部２２と、説明シート本体部２２から表面奥側に折り返して形成された折り返しシート部２３とから構成されており、折り返しシート部２３は、展開し易くするために、その端部２７と綴じ合わせ部５の間に僅かな隙間２８が形成されるようになっている。そして、折り返しシート部２３の表面側２４（図３参照）には前記ソフトウェアの基本的機能、例えば、予め設定されているパターンに自動的に編集させる「おまかせモード」などに関する説明が記載され、説明シート本体部２２の表面側２５及び折り返しシート部２３の裏面側２６（図４参照）には前記ソフトウェアの付加的機能、例えば、使用者自身が所望するパターンに編集する「自分でモード」などに関する説明が記載されるように構成されている。
【００１７】
これにより、使用者は、前記ソフトウェアの基本的な取扱い方法のみを習得したい場合には、折り返しシート部２３を展開させずに、折り返しシート部２３の表面側２４の記載だけを読み、また、前記ソフトウェアのさらに詳細な取扱い方法を習得したい場合には、折り返しシート部２３を展開させて説明シート本体部２２の表面側２５及び折り返しシート部２３の裏面側２６の記載を読むといった使い方ができるため、使用者は、状況に応じて効率良くマニュアル１を使用することができる。また、説明シート本体部２２に折り返しシート部２３が折り込まれるように構成されているため、マニュアル１の設置スペースを最小限に抑えることができ、狭い場所でも容易に使用することができるようになる。
【００１８】
さらに、上記した実施の形態に係るマニュアル１によれば、使用者から遠い奥側の説明ページ３はシート支持部２０により前傾姿勢に保持されるため、前記ソフトウェアをインストールしたパソコンを操作しながらでも、容易に使用することができるようになる。さらに、索引が一覧できるようになっているため、使用者は知りたい情報を効率よく習得することができる。
【００１９】
なお、上記した実施の形態に係るマニュアル１は、前記ソフトウェアの基本的操作手順、例えば、撮影した写真を編集させる手順などに関する説明を記載した説明シート３と、前記ソフトウェアを操作するための補助的情報、例えば、撮影した写真を効率よく編集させるためのコツなどに関する説明を記載した説明シート３とを、交互に、或いは、前半部分と後半部分に分離させて綴じ込む等、説明ページ３の記載内容に応じて説明ページ３の順番や配置を所定の規則に沿って変更することもできる。
【００２０】
また、シート支持部２０は、上記した形状や構造に限定されるものではなく、例えば、表表紙２を表表紙本体部６だけで構成させ、切込係止部９により三角形状に形成された切込片３１を破線（図２参照）に沿って奥側に折曲させ、切込片３１により前傾姿勢のシート支持部を形成させる等、各種変更が可能である。
【００２１】
さらに、上記した実施の形態では、デジタルカメラで撮影した写真を編集するソフトウェアに本考案を適用した場合について説明したが、これは単なる例示に過ぎず、本発明は、他のソフトウェアは勿論のこと、コンピュータなどのハードウェアに適用することも可能であることは言う迄もない。
【図面の簡単な説明】
【００２２】
【図１】本考案の実施の形態に係るマニュアルを組み立てた状態を示す斜視図である。
【図２】本考案の実施の形態に係るマニュアルにおいてシート支持部を展開した状態を示す斜視図である。
【図３】本考案の実施の形態に係るマニュアルにおいてシート支持部により説明シートを保持した状態を示す斜視図である。
【図４】本考案の実施の形態に係るマニュアルにおいて説明シートの折り返しシート部を展開した状態を示す斜視図である。
【符号の説明】
【００２３】
１          マニュアル
２          表表紙
３          説明シート
５          綴じ合わせ部
２０        シート支持部
２１        表面手前側端部
２２        説明シート本体部
２３        折り返しシート部
【図１】
0003111346.tif 000003
【図２】
0003111346.tif 000004
【図３】
0003111346.tif 000005
【図４】
0003111346.tif 000006